(57)【要約】【課題】  本発明は、偽造防止効果を必要とするセキュリティ印刷物である銀行券、パスポート、有価証券、身分証明書、カード、通行券等の貴重印刷物の分野において、印刷物を深く傾けて観察することで潜像画像が出現する潜像印刷物に関する。【解決手段】  潜像画線及びカモフラージュ画線から成る有色万線と、盛り上がりのある凸画線とを有し、潜像画線を凸画線の上に、カモフラージュ画線を凸画線と凸画線の間（谷領域）に形成し、潜像画線とカモフラージュ画線は、同一ピッチ内において同じ面積率とする。手前の盛り上がりのある画線によって谷領域にあるカモフラージュ画線が隠蔽されることで、印刷物のいずれの方向から観察しても、濃淡反転しない潜像が出現する効果を奏する潜像印刷物である。【選択図】  図１
2013188909.tif 000002
【特許請求の範囲】
【請求項１】
基材上の少なくとも一部に、印刷画像を備え、
前記印刷画像は、前記基材と異なる色で形成される一様な階調を有する有色要素群及び透明、半透明又は前記基材と同じ色で形成される盛り上がりを有する凸要素群が積層されて成り、
前記有色要素群は、特定のピッチで規則的に第一の方向に配置されて潜像画像を形成する複数の潜像要素から成る潜像要素群と、前記特定のピッチで規則的に前記第一の方向に配置された複数のカモフラージュ要素から成るカモフラージュ要素群を有し、
前記潜像要素と、前記カモフラージュ要素は、重なり合うことはなく規則的に交互に配置され、かつ、同一ピッチ内で隣り合った前記潜像要素の面積率と前記カモフラージュ要素の面積率の和は、全ての同一ピッチ内で同じであり、
前記凸要素群は、前記特定のピッチで規則的に前記第一の方向に形成された複数の凸要素から成り、
前記潜像要素は前記凸要素と重なり合い、前記カモフラージュ要素は前記凸要素間における谷領域に配置されることにより、
可視光下において、正対して観察した際に前記有色要素群が視認され、傾けて観察した際に前記潜像画像が視認されることを特徴とする潜像印刷物。
【請求項２】
前記潜像要素は、全てが前記凸要素の上に配置して成ることを特徴とする請求項１記載の潜像印刷物。
【請求項３】
前記凸要素が透明又は半透明の場合、前記潜像要素は、全てが前記凸要素の下に配置して成ることを特徴とする請求項１記載の潜像印刷物。
【請求項４】
前記有色要素群は、さらに有意情報を形成する情報要素群を有し、
前記情報要素群は、情報要素が前記特定のピッチで規則的に前記第一の方向に複数配置されて成り、
前記情報要素は、前記潜像要素及び前記カモフラージュ要素と重なり合うことはなく、前記谷領域に配置され、
可視光下において、正対して観察した際に前記有色要素群の中に前記有意情報が視認されることを特徴とする請求項１乃至３のいずれか１項に記載の潜像印刷物。
【請求項５】
前記印刷画像が有している各要素は、画線及び画素のいずれか又はそれらの組合せから成ることを特徴とする請求項１乃至４のいずれか１項に記載の潜像印刷物。
【請求項６】
基材上の少なくとも一部に、印刷画像を備え、
前記印刷画像は、前記基材と異なる色で形成される一様な階調を有する有色要素群及び透明、半透明又は前記基材と同じ色で形成される盛り上がりを有する凸要素群が積層されて成り、
前記凸要素群は、特定のピッチで規則的に第一の方向及び第二の方向に形成された複数の凸画素から成り、
前記有色要素群は、前記凸画素の上又は下に配置された第１の潜像画像を形成する複数の第１の潜像画素と、前記凸画素の上又は下に、前記第１の潜像画素と重ならないように配置された第２の潜像画像を形成する複数の第２の潜像画素と、前記第二の方向以外から観察した際に、前記第１の潜像画像を隠蔽する、前記第二の方向に形成された前記凸画素の間の谷領域に配置された複数の第１のカモフラージュ画素と、前記第一の方向以外から観察した際に、前記第２の潜像画像を隠蔽する、前記第一の方向に形成された前記凸画素の間の谷領域に配置された複数の第２のカモフラージュ画素を有し、
少なくとも一つ以上の前記凸画素を有する所定の範囲内において、前記第１の潜像画素、前記第２の潜像画素、前記第１のカモフラージュ画素及び前記第２のカモフラージュ画素の面積率の和は、全ての前記所定の範囲内において同じであり、
可視光下において、正対して観察した際に前記有色要素群が視認され、前記第１の方向又は前記第２の方向から傾けて観察した際に、前記第１の潜像画像又は前記第２の潜像画像が視認されることを特徴とする潜像印刷物。
【請求項７】
前記潜像画素は、全てが前記凸画素の上に配置して成ることを特徴とする請求項６記載の潜像印刷物。
【請求項８】
前記凸画素が透明又は半透明の場合、前記潜像画素は、全てが前記凸画素の下に配置して成ることを特徴とする請求項６記載の潜像印刷物。
【発明の詳細な説明】
【技術分野】
【０００１】
本発明は、偽造防止効果を必要とするセキュリティ印刷物である銀行券、パスポート、有価証券、身分証明書、カード、通行券等の貴重印刷物の分野において、印刷物を深く傾けて観察することで潜像画像が出現する潜像印刷物に関する。
【背景技術】
【０００２】
近年のスキャナ、プリンター、カラーコピー機等のデジタル機器の進展により、貴重印刷物の精巧な複製物を容易に作製することが可能となっている。そのため、前述したような複製や偽造を防止するため、プリンターやコピー機では再現不可能な様々な偽造防止技術が必要とされている。また、その偽造防止技術は特別な道具を必要とすることなく、万人が容易に真偽判別できる技術であることが望まれる。
【０００３】
それらの真偽判別可能な技術のひとつに、基材や画線の凹凸を利用して形成する潜像模様がある。これは、印刷物に正対して観察した場合には潜像画像が視認されず、印刷物を深く傾けることで潜像画像が出現する効果を有している。このような基材や画線の立体構造を利用して形成する真偽判別可能な技術はカラーコピーやプリンターを用いた偽造が不可能であることから、高い偽造抵抗力を備える。
【０００４】
本出願人は既に、部分的に角度を異にすることによって図柄を表した各種万線模様、レリーフ模様又は双方の模様のいずれかのエンボスによって形成された凹凸形状を有する素材に、素材の色及び無色透明以外の異なった他の色のインキによって、一定な間隔を持つ各種万線画線、網点画線又は双方の画線のいずれかを凹凸形状の図柄以外の部分を構成する部分に対して平行又は傾斜を持たせて印刷することによって、正面から観察した場合には、各種万線画線、網点画線又は双方の画線のいずれかのみが確認でき、斜めの方向から観察した場合には、凹凸形状と印刷画線との間に生じる一定でない位置関係によって、凹凸形状によって形成された図柄が容易に確認でき、逆の斜めの方向から観察すると、図柄の明暗が反転して確認できることを特徴とする潜像模様形成体を出願している（特許文献１参照）。
【０００５】
本出願人は既に、被印刷体上に被印刷体の表面色と異なる有色インキで各種万線をオフセット印刷した上に、透明凹版インキで各種万線を基本万線として、基本万線を特定の文字や図柄に対応して、二次元的にずらして得られる各種万線レリーフ画像をオフセット印刷した各種万線と平行に重なり合うように凹版印刷してなる偽造防止印刷物で、印刷物を垂直方向から観察するとオフセット印刷した各種万線が確認でき、印刷物を傾けて観察すると各種万線レリーフ画像が観察できることを特徴とする偽造防止印刷物を出願している（特許文献２参照）。
【先行技術文献】
【特許文献】
【０００６】
【特許文献１】特許第２６１５４０１号公報
【特許文献２】特許第３６８６９５３号公報
【発明の概要】
【発明が解決しようとする課題】
【０００７】
特許文献１及び特許文献２に記載の技術は、基材表面に印刷した画線の上に盛り上がりのある画線を重ね合わせて形成する構成や、盛り上がりのある構造の上に画線を重ね合わせて形成する構成であって、いずれも印刷物を傾けて観察することで潜像画像が視認できる効果を有する技術である。これらの技術の特徴の一つに、傾けることで視認できる潜像画像が、ある方向から観察した場合にはポジ画像であり、逆方向から観察した場合にはネガ画像となる、いわゆる画像のネガポジ反転効果がある。観察方向を変えることによって生じるネガポジ反転効果は、基材や画線の三次元構造を利用しない場合には容易には再現できない効果であり、一定の偽造抵抗力を担保できる効果の一つであると言える。ただし、この潜像画像のネガポジ反転効果は、潜像画像に文字や記号、マーク等の単純な有意情報を用いるのであれば問題はないが、人の顔や風景といった多階調を有する複雑な有意情報を潜像画像として表現したい場合には問題となる。
【０００８】
例えば、日本人の顔は、髪や瞳は濃い色で表現される必要があり、逆に肌は淡い色で表現される必要がある。潜像画像のネガポジ反転効果を有する技術において、ある方向から見た場合に髪や瞳が黒で、肌が白等の意図した階調で正しく表現されていたとしたら、逆方向から見た場合には肌が黒で、髪や瞳は白で表現されてしまい、フィルム写真のネガのような状態となってしまう。以上のように、従来のネガポジ反転効果を有する技術は、人の顔や風景のように階調が決まっている画像を潜像画像として付与するには適さなかった。
【課題を解決するための手段】
【０００９】
本発明における潜像印刷物は、基材上の少なくとも一部に、印刷画像を備え、印刷画像は、基材と異なる色で形成される一様な階調を有する有色要素群及び透明、半透明又は基材と同じ色で形成される盛り上がりを有する凸要素群が積層されて成り、有色要素群は、特定のピッチで規則的に第一の方向に配置されて潜像画像を形成する複数の潜像要素から成る潜像要素群と、特定のピッチで規則的に第一の方向に配置された複数のカモフラージュ要素から成るカモフラージュ要素群を有し、潜像要素と、カモフラージュ要素は、重なり合うことはなく規則的に交互に配置され、かつ、同一ピッチ内で隣り合った潜像要素の面積率とカモフラージュ要素の面積率の和は、全ての同一ピッチ内で同じであり、凸要素群は、特定のピッチで規則的に第一の方向に形成された複数の凸要素から成り、潜像要素は凸要素と重なり合い、カモフラージュ要素は凸要素間における谷領域に配置されることにより、可視光下において、正対して観察した際に有色要素群が視認され、傾けて観察した際に潜像画像が視認されることを特徴とする。
【００１０】
本発明における潜像印刷物は、有色要素群が有している潜像要素は、全てが凸要素の上に配置して成ることを特徴とする。
【００１１】
本発明における潜像印刷物は、凸要素が透明又は半透明の場合、有色要素群が有している潜像要素は、全てが凸要素の下に配置して成ることを特徴とする。
【００１２】
本発明における潜像印刷物の有色要素群は、さらに有意情報を形成する情報要素群を有し、情報要素群は、情報要素が特定のピッチで規則的に第一の方向に複数配置されて成り、情報要素は、潜像要素及びカモフラージュ要素と重なり合うことはなく、谷領域に配置され、可視光下において、正対して観察した際に有色要素群の中に有意情報が視認されることを特徴とする。
【００１３】
本発明における潜像印刷物の印刷画像が有している各要素は、画線及び画素のいずれか又はそれらの組合せから成ることを特徴とする請求項１乃至４のいずれか１項に記載の潜像印刷物。
【００１４】
本発明における潜像印刷物は、基材上の少なくとも一部に、印刷画像を備え、印刷画像は、基材と異なる色で形成される一様な階調を有する有色要素群及び透明、半透明又は基材と同じ色で形成される盛り上がりを有する凸要素群が積層されて成り、凸要素群は、特定のピッチで規則的に第一の方向及び第二の方向に形成された複数の凸画素から成り、有色要素群は、凸画素の上又は下に配置された第１の潜像画像を形成する複数の第１の潜像画素と、凸画素の上又は下に、第１の潜像画素と重ならないように配置された第２の潜像画像を形成する複数の第２の潜像画素と、第二の方向以外から観察した際に、第１の潜像画像を隠蔽する、第二の方向に形成された凸画素の間の谷領域に配置された複数の第１のカモフラージュ画素と、第一の方向以外から観察した際に、第２の潜像画像を隠蔽する、第一の方向に形成された凸画素の間の谷領域に配置された複数の第２のカモフラージュ画素を有し、少なくとも一つ以上の凸画素を有する所定の範囲内において、第１の潜像画素、第２の潜像画素、第１のカモフラージュ画素及び第２のカモフラージュ画素の面積率の和は、全ての所定の範囲内において同じであり、可視光下において、正対して観察した際に有色要素群が視認され、第１の方向又は第２の方向から傾けて観察した際に、第１の潜像画像又は第２の潜像画像が視認されることを特徴とする。
【００１５】
本発明における潜像印刷物は、有色要素群が有している潜像画素は、全てが凸画素の上に配置して成ることを特徴とする。
【００１６】
本発明における潜像印刷物は、凸画素が透明又は半透明の場合、有色要素群が有している潜像画素は、全てが凸画素の下に配置して成ることを特徴とする。
【発明の効果】
【００１７】
本発明の潜像印刷物は、正対した状態で不可視であった潜像画像が、深く傾けた状態で出現する技術であって、出現する潜像画像は、見る方向を変えて観察してもネガポジ反転せず、必ず意図した階調を表現できる。従来の技術にあった、潜像画像に顔画像や風景画像等の階調画像を用いづらいという問題を解消し、図柄選択の自由度が格段に向上した。
【００１８】
本発明の潜像印刷物は、その構成に工夫を設けることによって、正対した場合には第一の有意情報が観察され、傾けた場合には第一の有意情報が消失して第二の有意情報が出現する、いわゆる画像のチェンジ効果を加えることができる。有意情報が異なる有意情報へと変化するチェンジ効果は、単にフラットな背景に有意情報が出現するだけの従来の技術と比較して、その変化が劇的であるゆえに認証性に優れ、偽造も困難である。
【００１９】
本発明の潜像印刷物は、凹版印刷方式、スクリーン印刷方式等の印刷及びすき入れやエンボス、レーザー加工等の印刷以外の加工方法を用いて凸要素群を形成でき、有色要素群も一般的なオフセットやフレキソ等の生産性の高い印刷やプリンター等で容易に形成できる。以上のように、製造工程の選択の自由度が高く、かつ製造安定性に優れる。また、ホログラムのような高価な偽造防止要素と比較すると安価に製造できる。
【図面の簡単な説明】
【００２０】
【図１】本発明の実施の形態における潜像印刷物を示す図である。
【図２】本発明の実施の形態における潜像印刷物の構造を示す図である。
【図３】本発明の実施の形態における有色要素群を示す図である。
【図４】本発明の実施の形態における凸要素群を示す図である。
【図５】本発明の実施の形態における有色要素群と凸要素群の重なりを示す図である。
【図６】本発明の実施の形態における各要素群の適正な位置関係を示す図である。
【図７】本発明の実施の形態において潜像印刷物を正対して観察した場合の効果を示す図である。
【図８】本発明の実施の形態において潜像印刷物を深く傾けて観察した場合の効果の説明図である。
【図９】本発明の実施の形態において潜像印刷物を正対して観察した場合の効果を示す図である。
【図１０】本発明の実施の形態において潜像印刷物を深く傾けて観察した場合の効果の説明図である。
【図１１】本発明の潜像印刷物の有色要素群の構成の一例を示す図である。
【図１２】本発明の実施の形態における有色要素群及び凸要素群を示す図である。
【図１３】本発明の実施の形態における各要素群の適正な位置関係を示す図である。
【図１４】本発明の実施の形態における各要素群の位置関係を示す図である。
【図１５】各要素群の位置関係の拡大図を示す図である。
【図１６】本発明の一実施例における潜像印刷物を示す図である。
【図１７】本発明の一実施例における潜像印刷物の構造を示す図である。
【図１８】本発明の一実施例における凸要素群を示す図である。
【図１９】本発明の一実施例における有色要素群を示す図である。
【図２０】本発明の一実施例における各要素群の適正な位置関係を示す図である。
【図２１】本発明の一実施例における潜像印刷物の効果を示す図である。
【図２２】本発明の一実施例における潜像印刷物を示す図である。
【図２３】本発明の一実施例における潜像印刷物の構造を示す図である。
【図２４】本発明の一実施例における凸要素群を示す図である。
【図２５】本発明の一実施例における有色要素群を示す図である。
【図２６】本発明の一実施例における各要素群の適正な位置関係を示す図である。
【図２７】本発明の一実施例における潜像印刷物の効果を示す図である。
【発明を実施するための形態】
【００２１】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２２】
（実施形態１）
図１は、本発明の潜像印刷物（１）を示す図であり、基材（２）上に印刷画像（３）を備えて成る。基材（２）は、上質紙、コート紙、フィルム、金属等、表面に画像を形成できる材質であれば、如何なる材料を用いても良い。また、基材（２）の色彩についても制限はなく、透明や不透明であっても問題なく、加えて、大きさについても特に制限はない。また、印刷画像（３）は基材（２）と異なる色彩を有していれば、透明以外の如何なる色彩であってもよい。
【００２３】
図２に、印刷画像（３）を構成する各画像要素の概念図を示す。印刷画像（３）は、有色要素群（４）と凸要素群（５）が積層されて成る。有色要素群（４）と凸要素群（５）の積層順については、どちらが上でも下でもよい。この積層関係については、後述する。
【００２４】
有色要素群（４）は、一様な階調で形成されており、潜像要素群（６）と、潜像要素群（６）と対を成すカモフラージュ要素群（７）を有している。潜像要素群（６）は、傾けた場合に出現する潜像画像の要素構成であり、カモフラージュ要素群（７）は、潜像画像を濃淡反転させてネガで表した要素構成である。また、有色要素群（４）は、さらに情報要素群を有していてもよく、その場合の構成については、実施例２において説明することとする。
【００２５】
潜像要素群（６）は、傾けた場合に観察者が視認する潜像画像となる画像であり、一方のカモフラージュ要素群（７）は、正対した場合に潜像要素群（６）が可視化されるのを防ぎ、潜像要素群（６）を有色要素群（４）の中に隠蔽する働きを成す。よって、二つの画像を組み合わせることで、濃淡のない一様な階調で視認される構成である必要がある。そのため、カモフラージュ要素群（７）は、潜像画像を濃淡反転させたネガの状態の画像を表した構成を成す。
【００２６】
また、後で詳細に説明する潜像要素群（６）、カモフラージュ要素群（７）及び凸要素群（５）は、それぞれ複数の潜像要素、複数のカモフラージュ要素及び複数の凸要素によって形成されるが、本発明における要素とは、画線及び画素のいずれか又はそれらの組合せのことである。
【００２７】
本明細書で言う「画線」とは、印刷画像を形成する最小単位である印刷網点を特定の方向に連続して一定の距離配置したものであり、点線や破線の分断線、直線、曲線及び波線を言う。一方、本明細書で言う「画素」とは、少なくとも一つの印刷網点又は印刷網点を一塊にしたものであり、円や三角形、四角形を含む多角形、星型等の各種図形、あるいは文字や記号、数字等も含まれる。
【００２８】
実施形態１においては、全ての要素が画線及び画素のいずれか又はそれらの組合せで形成可能であることは前述したとおりであるが、以下、本実施の形態の説明においては、印刷画像（３）を形成する全ての要素が、画線によって形成されている場合について説明する。
【００２９】
図３に、有色要素群（４）の詳細な画線構成図を示す。図３（ａ）に示す有色要素群（４）は、女性の顔をポジで現した潜像要素群（６）と女性の顔をネガで現したカモフラージュ要素群（７）から成る。
【００３０】
図３（ｂ）に示すように、潜像要素群（６）は、画線幅（Ｗ１）の潜像要素（８）が、第一の方向（図中上下方向）に特定のピッチ（Ｐ１）で連続して複数配置されて成り、図３（ｃ）に示すように、カモフラージュ要素群（７）は、画線幅（Ｗ１）のカモフラージュ要素（９）が、第一の方向（図中上下方向）に特定のピッチ（Ｐ１）で連続して複数配置されて成る。
【００３１】
なお、潜像要素（８）は、基となる潜像画像を短冊状に分割した形態であり、カモフラージュ要素（９）は、基となるカモフラージュ画像を短冊状に分割した形態である。潜像要素（８）とカモフラージュ要素（９）は、図３（ａ）の一部拡大図に示すように、規則的に交互に配置されている。
【００３２】
ポジ画像から形成した潜像要素（８）と、ネガ画像から形成したカモフラージュ要素（９）は、それぞれ基になったポジ画像とネガ画像の濃淡の関係から、それぞれが隣り合う要素において、図３（ａ）の一部拡大図中の点線で示したＡ領域のように、片方が面積率１００％で塗りつぶされていれば、隣り合うもう片方の面積率は０％となり、片方が面積率５０％で形成されていれば、隣り合うもう片方の面積率は５０％となり、Ｂ領域のように、片方が面積率３０％で形成されていれば、隣り合うもう片方の面積率は７０％となる。
【００３３】
すなわち、同一ピッチ内で隣り合った潜像要素（８）の面積率とカモフラージュ要素（９）の面積率の和は、いずれの場所においてもほぼ同じ値となることが望ましい。ただし、本実施の形態においては、この同じ値を１００％で説明したが、１００％に限定するものではなく、例えば、８０％の場合は、同一ピッチ内で隣り合った潜像要素（８）の面積率とカモフラージュ要素（９）の面積率の和は、いずれの場所においてもほぼ８０％となることが望ましい、ということになる。
【００３４】
なお、本発明でいうポジとは、階調を有する有意情報（本実施の形態においては女性の顔）が正しく表現された状態を意味し、本発明でいうネガとは、階調を有する有意情報が本来の階調が反転した状態で表現された状態を意味する。
【００３５】
図３（ｂ）に示すように、潜像要素（８）は一定の画線幅で構成されており、その画線の中にポジ状態の女性の顔の階調が濃淡で反映され、潜像要素（８）が複数配置されて潜像要素群（６）を構成した場合にポジ状態の女性の顔を表して成る。また、図３（ｃ）に示すように、カモフラージュ要素（９）も潜像要素（８）同様に一定の画線幅で構成されており、その画線の中にネガ状態の女性の顔の階調が濃淡で反映され、カモフラージュ要素（９）が複数配置されてカモフラージュ要素群（７）を構成した場合にネガ状態の女性の顔を表して成る。
【００３６】
潜像要素（８）とカモフラージュ要素（９）は、それぞれ重なり合わないように配置する必要があり、本実施の形態においては、配置ピッチの約半分の距離（Ｐ１の２分の１）だけ第一の方向にずらして配置して成る。
【００３７】
以上のように、有色要素群（４）は、少なくとも潜像要素群（６）とカモフラージュ要素群（７）を備える。この有色要素群（４）は、基材（２）と異なる色を有するインキを用いて形成する。色はいかなる色でも良く、通常の着色インキを用いる他に、金や銀のようなメタリック系インキを用いたり、高光沢なグロス系インキを用いたりして形成してもよい。
【００３８】
有色要素群（４）を印刷する場合の印刷方式は、オフセット印刷方式、凸版印刷方式、フレキソ印刷方式、グラビア印刷方式、凹版印刷方式等、如何なる方式を用いても良い。またインキジェットプリンターやレーザプリンター等のデジタル印刷機器を用いて形成しても何ら問題はない。また、レーザーマーカーや各種切削機械等を用いて基材表面を焦がしたり、切削したりすることで濃淡を表現し、有色要素群（４）を形成してもよい。
【００３９】
なお、説明の便宜上、実施の形態や実施例の画像の説明図において、潜像要素（８）及びカモフラージュ要素（９）以外の画線を縦線や横線、あるいは斜め線等によって記載しているが、実際には全て塗りつぶしの画線である。
【００４０】
図４に、凸要素群（５）の詳細な画線構成図を示す。凸要素群（５）は、特定のピッチ（Ｐ１）で第一の方向に連続して配置された凸要素（１０）を有し、かつ、凸要素（１０）と凸要素（１０）の間には、幅（Ｗ３）の谷領域（１１）を有する。この凸要素（１０）と谷領域（１１）は、傾けた場合にカモフラージュ要素群（７）を隠蔽し、かつ、潜像要素群（６）を出現させるために機能するが、これらの具体的な機能については、後述する。
【００４１】
凸要素群（５）は盛り上がりを有し、かつ、透明あるいは半透明である必要がある。ただし、後述する積層順において、凸要素群（５）の上に有色要素群（４）が形成される場合、凸要素群（５）は基材と同じ色彩でもよい。
【００４２】
形成方法は、凹版印刷方式やスクリーン印刷方式等の盛り上がりを形成できる印刷方式を用いて印刷で形成してもよいし、すき入れによって形成してもよい。また、エンボス加工やレーザー加工等の特殊な加工方法によって形成しても何ら問題ない。盛り上がり高さは、ピッチにもよるが５μｍ以上１ｍｍ以下であることが好ましく、また、１５μｍ以上１００μｍ以下であることが第一の有意情報及び第二の有意情報の視認性や流通適性を高く保つためにより望ましい。
【００４３】
図５に、潜像印刷物（１）を形成するための有色要素群（４）と凸要素群（５）の重ね合わせ順を示す。図５においては、有色要素群（４）と、凸要素群（５）の重なりの構成をわかり易く表すために、有色要素群（４）は女性の顔の画像としているが、実際には女性の顔は不可視であり、図３（ａ）に示したフラットな階調の画像として視認される。
【００４４】
図５（ａ）は、基材に凸要素群（５）を形成し、その上に有色要素群（４）を重ね合わせて形成する例であり、図５（ｂ）は、基材（２）に有色要素群（４）を形成し、その上に凸要素群（５）を重ね合わせて形成する例である。
【００４５】
すき入れやレーザー加工で凸要素群（５）を形成する場合には、図５（ａ）の重ね順が好ましく、印刷で形成する場合には、図５（ａ）及び図５（ｂ）のいずれの重ね順でも問題ない。エンボス加工で凸要素群（５）を形成する場合は、有色要素群（４）を形成したのちにエンボス加工を施しても、エンボス加工を施したのち有色要素群（４）を形成してもよい。
【００４６】
図６に、有色要素群（４）と凸要素群（５）の重なり合いの詳細な位置関係を示す。図６（ｂ）には、印刷画像（３）の一部を正面から見た拡大図の概要図を示し、図６（ｃ）及び図６（ｄ）に、図６（ｂ）で示した印刷画像（３）をＡ−Ａ´ラインでカットした断面図を示す。図６（ｃ）は、凸要素群（５）の上に有色要素群（４）が重ねられた層構成の印刷画像（３）の例であり、図６（ｄ）は、有色要素群（４）の上に凸要素群（５）が重ねられた層構成の印刷画像（３）の例である。
【００４７】
各要素同士の最も望ましい重なり合いの位置関係とは、図６（ｂ）に示すような、凸要素（１０）と潜像要素（８）が重なり、カモフラージュ要素（９）は、凸要素（１０）とは重ならずに谷領域（１１）に形成されている関係である。このような適切な位置関係を保つためには、潜像要素（８）及びカモフラージュ要素（９）の画線幅（Ｗ１）は、谷領域（１１）の幅（Ｗ３）以下で設計する必要がある。
【００４８】
ただし、盛り上がりのある凸要素（１０）と、有色要素群（４）を印刷、加工する方式は異なる方式が用いられる場合が多いと考えられ、そのように印刷方法が異なる要素同士の刷り合わせを厳密に一致させることは現時点では容易ではない。
【００４９】
そのため、設計段階でこのような最も望ましい要素同士の重なり合いの位置関係で構成することを意図していた場合でも、実際の製造においては、二つの画線の刷り合わせのズレをゼロとすることは難しく、カモフラージュ要素（９）が谷領域（１１）からずれて凸要素（１０）に重なる場合が生じる可能性がある。このような場合、カモフラージュ要素（９）が凸要素（１０）に重なった面積の割合よりも、カモフラージュ要素（９）が谷領域（１１）に重なった面積の割合が大きければ、本発明の範囲に含まれることとする。いずれにおいても、印刷時における刷り合わせのズレは誤差の範囲であり、全ての発明の技術的範囲である。
【００５０】
図７及び図８に、図５（ａ）及び図６（ｃ）に示した重ね合わせ順で形成した潜像印刷物（１）に対して、観察角度を変えて観察した場合に視認される画像を示す。図７に示すように、潜像印刷物（１）に正対した視点（１２ａ）から潜像印刷物（１）を観察した場合には、有色要素群（４）が視認され、女性の顔画像は不可視である。
【００５１】
一方、図８（ａ） に示すように、潜像印刷物（１）を傾けて観察した場合には、図８（ｂ）及び図８（ｃ）に示すように、凸要素（１０）の盛り上がりによって、谷領域（１１）に形成されたカモフラージュ要素（９）が隠蔽され、凸要素（１０）の上に形成された潜像要素（８）のみが視認される。
【００５２】
傾けた場合に潜像要素（８）のみが視認される現象は、いずれの方向（１２ｂ、１２ｃ）から観察した場合でも変わらないため、結果として、観察者の視点がいずれの方向（１２ｂ、１２ｃ）にあったとしても、潜像要素（８）の集合によって構成されている潜像要素群（６）のみが視認され、従来の技術で発生していた潜像画像のネガポジ反転効果は生じない。
【００５３】
図９及び図１０に、図５（ｂ）及び図６（ｄ）に示した重ね合わせ順で形成した潜像印刷物（１）に対して、観察角度を変えて観察した場合に視認される画像を示す。図９のように、潜像印刷物（１）に正対した視点（１２ａ）から潜像印刷物（１）を観察した場合には、凸要素（１０）は透明あるいは半透明であるために、基材（２）表面に露出しているカモフラージュ要素（９）も、凸要素（１０）の下に存在する潜像要素（８）のいずれも視認できる。よって、潜像印刷物（１）に正対した視点（１２ａ）からは、有色要素群（４）が視認され、女性の顔画像は不可視である。
【００５４】
一方、図１０（ａ） に示すように、潜像印刷物（１）を傾けて観察した場合には、図１０（ｂ）及び図１０（ｃ）に示すように、凸要素（１０）の盛り上がりによって、谷領域（１１）に形成されたカモフラージュ要素（９）が隠蔽され、凸要素（１０）の下に形成された潜像要素（８）のみが視認される。
【００５５】
この効果が生じる原因を説明する。凸要素（１０）は透明あるいは半透明であって光を透過する性質を備えることから、潜像印刷物（１）をほんのわずか傾けて観察した場合でも基材（２）表面に露出しているカモフラージュ要素（９）も、凸要素（１０）の下に存在する潜像要素（８）のいずれもが視認され、正対して観察した場合と同様に有色要素群（４）が視認される。
【００５６】
しかし、図１０に示すように、観察者の視点（１２ｂ、１２ｃ）から潜像印刷物（１）に伸びる視線が潜像印刷物（１）に近づけば近づくほど、凸要素（１０）への光の入射角度が大きくなることから凸要素（１０）内部に入射する光が減り、凸要素（１０）表面で反射される光の割合が大きくなる。
【００５７】
よって、傾けられた角度が大きくなるほど、凸要素（１０）の透明性は低下し、不透明に変化する。
【００５８】
なお、凸要素（１０）の屈折率が高い場合にはこの傾向が特に顕著である。凸要素（１０）が不透明に変化することによって、観察者から見て凸要素（１０）の向こう側に存在するカモフラージュ要素（９）が隠蔽される効果が生じる。
【００５９】
一方の潜像要素（１０）も不透明と化した凸要素（１０）によって隠蔽されるが、それぞれの凸要素（１０）において、観察者に近い斜面は、印刷物と垂直に近い角度を成して盛り上がっていることから、入射する光の角度が相対的に小さくなるため透明性が大きく低下することはない。よって、それぞれの凸要素（１０）下に存在する潜像要素（８）において、観察者に近い側にある画線が観察者に視認される。
【００６０】
また、図７及び図８では、凸要素群の上に有色要素群を積層させる形態のみで印刷画像を形成する場合、図９及び図１０では、有色要素群の上に凸要素群を積層させる形態のみで印刷画像を形成する場合で説明したが、一つの印刷画像中に両方の形態が混在していても問題ない。ただし、潜像画像を鮮明に出現させるためには、どちらかの形態に統一されていることが望ましい。
【００６１】
以上の原理によって、傾けた場合に潜像要素（８）のみが視認される。また、傾けた場合に潜像要素（８）のみが視認される現象は、いずれの方向（１２ｂ、１２ｃ）から観察した場合でも変わらないため、結果として観察者の視点がいずれの方向（１２ｂ、１２ｃ）にあったとしても潜像要素（８）の集合によって構成されている潜像要素群（６）のみが視認され、従来の技術で発生していた潜像画像のネガポジ反転効果は生じない。
【００６２】
以上ことから、図５（ｂ）及び図６（ｄ）に示した重ね合わせ順で形成した潜像印刷物（１）において、本発明の潜像印刷物（１）の凸要素（１０）は、光の屈折率が高いことが望ましい。屈性率が高い凸要素（１０）を用いた方が、カモフラージュ要素群（７）の隠蔽効果が高まり、相対的に潜像要素群（６）の視認性が向上するためである。
【００６３】
このような特性を凸要素（１０）に付与する方法の一例としては、光の屈折率の高い顔料をインキ中に分散させ、凸要素（１０）をＵＶ乾燥型のスクリーン印刷方式によって形成することが容易である。ＵＶ乾燥型のスクリーン印刷方式は、１０μｍを超える盛り上がりのある画線を容易に形成でき、かつ、粒径が大きな顔料も使用できることから、本発明の凸要素（１０）の望ましい形成方法の一つであるといえる。
【００６４】
ただし、光の屈折率の高い顔料は透明あるいは半透明である必要があり、このような特性を満たす顔料としては虹彩色パール顔料がある。虹彩色パール顔料を用いてスクリーン印刷方式で凸要素（１０）を形成する場合、凸要素（１０）の表面の光の屈折率が高いことが重要であることから、盛り上がりのある画線内部ではなく、盛り上がりのある画線表面に虹彩色パール顔料が向きを揃えて配列する、いわゆるリーフィングした状態であることが最も望ましい。
【００６５】
このような効果を得る方法の一つとして、例えば、特開２００１−１０６９３７号公報に記載の技術のように記載の撥水・撥油処理を施した顔料を用いる方法があり、このような処理を施した顔料を用いて凸要素（１０）を形成した場合には、傾けた場合に視認される潜像要素群（６）の視認性を高めることができる。
【００６６】
このように、図５（ａ）及び図５（ｂ）に示したいずれの重ね合わせ順で本発明の潜像印刷物（１）を形成した場合でも、潜像印刷物（１）に正対して観察した場合には、観察者の視点（１２ａ）からは有色要素群（４）が視認され、潜像印刷物（１）を傾けて観察した場合には、いずれの方向から観察したとしても潜像要素群（６）のみが視認される。
【００６７】
以上のように、本発明の潜像印刷物（１）を傾けて観察した場合には、観察する方向に関わらず必ず潜像要素群（６）が視認される。
【００６８】
なお、本明細書中でいう、「正対して観察する」とは、観察者の視点が印刷物の印刷面と垂直（０°とする）か、それに近い角度を成して印刷物を観察する状態を指し、「傾けて観察する」とは印刷物の印刷面から少なくとも４５°以上９０°未満の角度を成して印刷物を観察する状態を指すこととする。
【００６９】
また、実施の形態の説明において、潜像要素（８）及びカモフラージュ要素（９）を一定の幅の画線の中に有意情報の階調が濃淡で表現された形態で説明したが、図１１に示すように、有意情報の階調を画線幅の違いで表現することも可能である。すなわち濃い階調は幅の太い画線で、淡い階調は幅の細い画線で表現することでも本発明の潜像印刷物（１）の潜像要素（８）とカモフラージュ要素（９）を構成することができる。
【００７０】
また、同様に潜像要素（８）とカモフラージュ要素（９）をＦＭスクリーンのように網点の粗密によって構成することも可能（図示せず）であって、本発明の潜像要素（８）とカモフラージュ要素（９）は、階調を有する画像の濃淡を表現できるのであれば、いかなる形態で構成してもよい。
【００７１】
つまり、本発明の基本的な構成は、表現したい階調を有する有意情報を表した画像を凸要素と重ね、有意情報を濃淡反転させた画像を谷領域に構成するという基本的な構成を満たせば良い。なお、潜像要素群（６）は階調画像であることが適当ではあるが、ユーザの希望に応じて単純な二値画像であるマークや記号、文字等を用いても何ら問題ない。
【００７２】
全ての要素群の構成に共通するピッチ（Ｐ１）について、狭く設計した場合には、潜像要素群（６）が可視化される傾け角度を小さくできるが、刷り合わせの難易度が上がり、かつ、各要素の再現性が低下する傾向にある。逆に、広く設計した場合には、潜像要素群（６）が可視化される傾け角度が大きくなってしまう反面、刷り合わせの難易度が下がり、かつ、各要素の再現性も安定する。これらを考慮すると、ピッチ（Ｐ１）は、０．１ｍｍから２ｍｍ程度の範囲で構成することが望ましい。
【００７３】
また、これまでは、本発明を構成する各要素が画線である例で説明したが、本発明を構成する各要素の構成は画線に限定するものではなく、画素で形成しても何ら問題ない。以下に、本発明を構成する各要素を画素で形成する例について説明する。
【００７４】
図１２に、本発明を構成する各要素を画素で形成した例を示す。図１２（ａ）には画素で形成した場合の有色要素群（４´）の一例を示し、図１２（ｂ）には画素で形成した場合の凸要素群（５´）の一例を示す。
【００７５】
図１２（ａ）において、幅（Ｗ４）高さ（Ｗ５）の画素が、第二の方向に特定のピッチ（Ｐ２）で複数配置されて潜像要素（８´）が形成されており、潜像要素（８´）が、第一の方向に特定のピッチ（Ｐ１）で連続して複数配置されることで、潜像要素群（６´）（図示せず）を構成して成る。この潜像要素群（６´）が表す画像も、実施の形態において潜像要素群（６´）を画線で構成した場合と同様に、図２で示した女性の顔のポジ画像とする。
【００７６】
潜像要素（８´）と対を成すカモフラージュ要素（９´）も幅（Ｗ４）高さ（Ｗ５）の画素が、第二の方向に特定のピッチ（Ｐ２）で複数配置されてカモフラージュ要素（９´）が形成されており、カモフラージュ要素（９´）が、第一の方向に特定のピッチ（Ｐ１）で連続して複数配置されることで、カモフラージュ要素群（７´）（図示せず）を構成して成る。このカモフラージュ要素群（７´）が表す画像も、実施の形態においてカモフラージュ要素群（７´）を画線で構成した場合と同様に、図２で示した女性の顔のネガ画像とする。潜像要素（８´）とカモフラージュ要素（９´）は、観察方向となる方向（第一の方向）に交互に配置する必要がある。
【００７７】
また、図１２（ｂ）において、凸要素群（５´）は透明あるいは半透明、もしくは基材と同じ色彩で盛り上がりを有して形成されている。図に示すように、幅（Ｗ７）高さ（Ｗ８）の画素が、第二の方向に特定のピッチ（Ｐ２）で複数配置されて凸要素（１０´）が形成されており、凸要素（１０´）が、第一の方向に特定のピッチ（Ｐ１）で連続して複数配置されることで、凸要素群（５´）が構成される。それぞれの凸要素（１０´）と凸要素（１０´）の間には、幅（Ｗ１０）の谷領域（１１´）を有する。
【００７８】
図１３（ａ）に、凸要素群（５´）と有色要素群（４´）の重なり合いの適正な位置関係を示す。凸要素（１０´）の上に潜像要素（８´）が重なり、谷領域（１１´）にカモフラージュ要素（９´）が重なって成る。
【００７９】
凸要素群（５´）と背景要素（４´）の重なり合いの位置関係は、図１３（ｂ）及び図１３（ｃ）に示すとおり、いずれが上になっても下になっても問題ない。このような位置関係を満たすためには、潜像要素（８´）やカモフラージュ要素（９´）、凸要素（１０´）、谷領域（１１´）について、Ｗ４≦Ｗ７、Ｗ５≦Ｗ８、Ｗ５≦Ｗ１０の関係が成り立つ必要がある。
【００８０】
以上のような構成で本発明の潜像印刷物を構成した場合でも、図７から図１０に示したとおり、正対して観察した場合には有色要素群（４´）が視認され、傾けて観察した場合には、第一の方向及び第一の方向と正対する方向の、いずれの方向から観察した場合でも潜像要素群（６´）が表した女性の顔画像が視認できる。
【００８１】
（実施形態２）
実施形態２においては、印刷画像が全て画素で形成され、印刷画像を傾けて観察した場合、第一の方向から観察した場合と、第二の方向から観察した場合とで、観察できる画像が変化する潜像印刷物を形成した例である。
【００８２】
図１４に示すように、印刷画像（３´´）は、実施形態１同様に凸画素群（図示なし）と有色画素群（図示なし）とから構成されている。凸画素群は、図１４（ａ）の一部拡大図に示すように、幅（Ｗ１１）高さ（Ｗ１２）の凸画素（１０´´）が、第一の方向に特定のピッチ（Ｐ１）及び第二の方向に特定のピッチ（Ｐ２）で規則的に複数配置されて成る。
【００８３】
有色画素群は、一様な階調で形成されており、図１４（ｂ）に示す第１の潜像画像Ａを形成する第１の潜像画素群Ａ（６Ａ´´）及び図１４（ｃ）に示す第１のカモフラージュ画素群Ａ（７Ａ´´）と、図１４（ｄ）に示す第２の潜像画像Ｂを形成する第２の潜像画素群Ｂ（６Ｂ´´）及び図１４（ｅ）に示す第２のカモフラージュ画素群Ｂ（７Ｂ´´）を有している。
【００８４】
これまで説明した実施形態１と同様に、第１の潜像画素群Ａ（６Ａ´´）が表すアルファベットの「Ａ」のポジの文字と、第１のカモフラージュ画素群Ａ（７Ａ´´）が表すアルファベットの「Ａ」のネガの文字は対となっており、第２の潜像画素群Ｂ（６Ｂ´´）が表すアルファベットの「Ｂ」のポジの文字と、第２のカモフラージュ画素群Ｂ（７Ｂ´´）が表すアルファベットの「Ｂ」のネガの文字は対となっており、潜像画素群の濃淡をカモフラージュ画素群が隠蔽する構成となっている。
【００８５】
第１の潜像画素群Ａ（６Ａ´´）は、特定の大きさの第１の潜像画素Ａ（８Ａ´´）を複数有し、第１のカモフラージュ画素群Ａ（７Ａ´´）は、第１の潜像画素Ａ（８Ａ´´）と同じ大きさの第１のカモフラージュ画素Ａ（９Ａ´´）を複数有し、第２の潜像画素群Ｂ（６Ｂ´´）は、特定の大きさの第２の潜像画素Ｂ（８Ｂ´´）を複数有し、第２のカモフラージュ画素群Ｂ（７Ｂ´´）は、第２の潜像画素Ｂ（８Ｂ´´）と同じ大きさの第２のカモフラージュ画素Ｂ（９Ｂ´´）を複数有する。
【００８６】
第１の潜像画素Ａ（８Ａ´´）は、第１の潜像画像Ａを形成する位置に対応して、凸画素（１０´´）と積層される。また、第２の潜像画素Ｂ（８Ｂ´´）は、第２の潜像画像Ｂを形成する位置に対応して、凸画素（１０´´）と積層される。
【００８７】
第１のカモフラージュ画素Ａ（９Ａ´´）は、正対して観察した際及び傾けて第一の方向から観察した際、つまり第二の方向以外から観察した際に、印刷画像を一様の階調にすることにより第１の潜像画像Ａを隠蔽するように、第二の方向に配置された凸画素（１０´´）の間の谷領域に配置される。
【００８８】
第２のカモフラージュ画素Ｂ（９Ｂ´´）は、正対して観察した際及び傾けて第二の方向から観察した際、つまり第一の方向以外から観察した際に、印刷画像を一様の階調にすることにより第２の潜像画像Ｂを隠蔽するように、第一の方向に配置された凸画素（１０´´）の間の谷領域に配置される。
【００８９】
この際、有色画素群を一様な階調で形成するため、第１の潜像画素Ａ（８Ａ´´）、第２の潜像画素Ｂ（８Ｂ´´）、第１のカモフラージュ画素Ａ（９Ａ´´）及び第２のカモフラージュ画素Ｂ（９Ｂ´´）は、少なくとも一つの凸画素（１０´´）を有する所定の範囲内において、面積率が全て同じとなるような位置に形成される。
【００９０】
例えば、図１５の点線で示した所定の範囲内Iaのように、凸画素（１０´´）に第１の潜像画素Ａ（８Ａ´´）及び第２の潜像画素Ｂ（８Ｂ´´）の両方ともが積層されていない場合、所定の範囲内Ａの面積率を一様にするため、第１のカモフラージュ画素Ａ（９Ａ´´）が第二の方向に配置された凸画素（１０´´）間の谷領域（１１´´）に形成され、第２のカモフラージュ画素Ｂ（９Ｂ´´）が第一の方向に配置された凸画素（１０´´）間の谷領域（１１´´）に形成される。
【００９１】
また、図１５の点線で示した所定の範囲内Ibのように、凸画素（１０´´）に第１の潜像画素Ａ（８Ａ´´）のみが積層されている場合、所定の範囲内Ｂの面積率を一様にするため、第２のカモフラージュ画素Ｂ（９Ｂ´´）が第一の方向に配置された凸画素（１０´´）間の谷領域（１１´´）に形成される。
【００９２】
また、図１５の点線で示した所定の範囲内Icのように、凸画素（１０´´）に第１の潜像画素Ａ（８Ａ´´）及び第２の潜像画素Ｂ（８Ｂ´´）の両方ともが積層されている場合、所定の範囲内Ｂの面積率を一様にするため、第１のカモフラージュ画素Ａ（９Ａ´´）及び第２のカモフラージュ画素Ｂ（９Ｂ´´）は形成されない。
【００９３】
なお、一つの凸画素（１０´´）に対して、第１の潜像画素（８Ａ´´）及び第２の潜像画素（８Ｂ´´）が、両方積層されている場合、第１の潜像画素（８Ａ´´）及び第２の潜像画素（８Ｂ´´）は、重なり合わないように配置される。これは、第１の潜像画像Ａと第２の潜像画像Ｂが重複して視認されてしまうことを避けるためであり、そのため、第１の潜像画素（８Ａ´´）と第２の潜像画素（８Ｂ´´）の面積率は、凸画素（１０´´）の面積率の１／２以下とする。
【００９４】
実施形態２においても実施形態１と同様、有色画素群と凸画素群の積層順については、有色画素群の上に凸画素群を積層させる形態でも、凸画素群の上に有色画素群を積層させる形態でもよく、一つの印刷画像中に両方の形態が混在していても問題ない。ただし、潜像画像を鮮明に出現させるためには、どちらかの形態に統一されていることが望ましい。
【００９５】
以上のような構成の潜像印刷物は、正対して観察した場合に第１の潜像画素Ａ（８Ａ´´）、第１の潜像画素Ｂ（８Ｂ´´）と第１のカモフラージュ画素Ａ（９Ａ´´）と第２のカモフラージュ画素Ｂ（９Ｂ´´）の全ての画素が見えるため、それぞれ対となる画素同士で濃淡が打ち消され、第１の潜像画像Ａ及び第２の潜像画像Ｂのいずれの画像も視認できない。
【００９６】
また、傾けた潜像印刷物を第一の方向（図１５のＸの視点）及び第一の方向と正対する方向から観察した場合、観察者には第１の潜像画素Ａ（８Ａ´´）と第２の潜像画素Ｂ（８Ｂ´´）と第１のカモフラージュ画素Ａ（９Ａ´´）が視認される。第１の潜像画素Ａ（８Ａ´´）と第１のカモフラージュ画素Ａ（９Ａ´´）は濃淡が対を成すため一様に視認され、第１の潜像画素Ａ（８Ａ´´）が表すアルファベットの「Ａ」の文字は不可視である一方、第２の潜像画素Ｂ（８Ｂ´´）は、濃淡が対を成す第２のカモフラージュ画素Ｂ（９Ｂ´´）が目視上隠蔽されていることから可視化される。よって、第一の方向から観察した場合には第２の潜像画素群Ｂ（６Ｂ´´）が表すアルファベットの「Ｂ」のポジの文字のみが視認できる。
【００９７】
一方、傾けた潜像印刷物を第二の方向（図１５のＹの視点）及び第二の方向と正対する方向から観察した場合、観察者には第１の潜像画素Ａ（８Ａ´´）と第２の潜像画素Ｂ（８Ｂ´´）と第２のカモフラージュ画素Ｂ（９Ｂ´´）が視認される。第２の潜像画素Ｂ（８Ｂ´´）と第２のカモフラージュ画素Ｂ（９Ｂ´´）は濃淡が対を成すため一様に視認され、第２の潜像画素Ｂ（８Ｂ´´）が表すアルファベットの「Ｂ」の文字は不可視である一方、第１の潜像画素Ａ（８Ａ´´）は、濃淡が対を成す第１のカモフラージュ画素Ａ（９Ａ´´）が目視上隠蔽されていることから可視化される。よって、第二の方向から観察した場合には第１の潜像画素群Ａ（６Ａ´´）が表すアルファベットの「Ａ」のポジの文字のみが視認できる。
【００９８】
以上のような構成を用いることで、印刷画像を傾けて観察した場合、第一の方向から観察した場合と、第二の方向から観察した場合とで、観察できる潜像画像が変化する潜像印刷物を形成することができる。
【００９９】
以下、前述の発明を実施するための形態にしたがって、具体的に作製した潜像印刷物の実施例について詳細に説明するが、本発明は、この実施例に限定されるものではない。
【実施例１】
【０１００】
実施例１について、図１６から図２１を用いて説明する。実施例１は、全ての要素を画線で形成した場合の例であり、凸要素群（５−１）をスクリーン印刷方式で形成し、有色要素群（４−１）をオフセット印刷方式で印刷して潜像印刷物を形成した例である。
【０１０１】
図１６は、本発明の潜像印刷物（１−１）を示す図であり、基材（２−１）上に青色の印刷画像（３−１）を備えて成る。基材は、一般的なコート紙（日本製紙製）を用いた。
【０１０２】
図１７に、印刷画像（３−１）を構成する各画像要素の概念図を示す。印刷画像（３−１）は、有色要素群（４−１）と凸要素群（５−１）とが積層されて成る。有色要素群（４−１）は、一様な階調で形成されており、潜像画像である女性の顔をポジで表した潜像要素群（６−１）と、女性の顔をネガで表したカモフラージュ要素群（７−１）から構成されている。
【０１０３】
図１８に、凸要素群（５−１）を示す。凸要素群（５−１）は、ピッチ０．２５ｍｍで第一の方向に連続して配置された幅０．１５ｍｍの凸要素（１０−１）を有し、かつ、凸要素（１０−１）と凸要素（１０−１）の間に幅０．１ｍｍの谷領域（１１−１）を有する。以上の構成の凸要素群（５−１）をＵＶ乾燥型のスクリーン印刷方式で表１に示すインキを用いて基材（２−１）上に印刷した。なお、凸要素（１０−１）の盛り上がり高さは、２０μｍであった。
【０１０４】
【表１】
2013188909.tif 000003
【０１０５】
表１に示したスクリーンインキは、光が入射することで金色の干渉色を発する虹彩色パール顔料を含んでおり、本インキで形成した画線は、正反射光が生じない状態では無色透明であって、正反射光が生じた状態では金色の干渉色を発する凸要素（１０−１）となる。
【０１０６】
なお、本インキに混合した虹彩色パール顔料は顔料表面に撥水及び撥油性を付与し、盛り上がりのある画線表面に配向する特性を有している。このような特別な顔料を配合する理由は、一般的に考えられる虹彩色パール顔料を用いる場合のように正反射光下で美しいパールの干渉色を得るためではなく、凸要素（１０−１）表面の光の屈折率を高め、傾けた場合には凸要素（１０−１）によって遮蔽されるカモフラージュ要素（９−１）の隠蔽性を高め、結果として潜像要素群（６−１）の視認性を高めるためである。
【０１０７】
図１９に、有色要素群（４−１）の詳細な画線構成図を示す。図１９（ａ）に示す有色要素群（４−１）は、女性の顔をポジで現した潜像要素群（６−１）と女性の顔をネガで現したカモフラージュ要素群（７−１）から成る。図１９（ｂ）に示すように、潜像要素群（６−１）は画線幅０．１ｍｍの潜像要素（８−１）が、第一の方向（図中上下方向）にピッチ０．２５ｍｍで連続して複数配置されて成り、図１９（ｃ）に示すように、カモフラージュ要素群（７−１）は画線幅０．１ｍｍのカモフラージュ要素（９−１）が、第一の方向（図中上下方向）にピッチ０．２５ｍｍで連続して複数配置されて成る。
【０１０８】
図１９（ｂ）に示すように、潜像要素（８−１）は一定の画線幅で構成されており、その画線の中にポジ状態の女性の顔の階調が濃淡で反映され、潜像要素（８−１）が複数配置されて潜像要素群（６−１）を構成した場合にポジ状態の女性の顔を表して成る。
【０１０９】
また、図１９（ｃ）に示すように、カモフラージュ要素（９−１）も潜像要素（８−１）同様に一定の画線幅で構成されており、その画線の中にネガ状態の女性の顔の階調が濃淡で反映され、カモフラージュ要素（９−１）が複数配置されてカモフラージュ要素群（７−１）を構成した場合にネガ状態の女性の顔を表して成る。
【０１１０】
潜像要素（８−１）とカモフラージュ要素（９−１）はそれぞれ重なり合わないように０．１２５ｍｍ第一の方向にずらして配置した。以上のような構成の有色要素群（４−１）を青色の着色インキ（ＤＡｉＣｕｒｅ  アビリオ  プロセス  藍Ｎ）を用いて、凸要素群（５−１）の上にオフセット印刷方式で形成した。
【０１１１】
図２０に、有色要素群（４−１）と、凸要素群（５−１）の重なり合いの詳細な位置関係を示す。図２０（ｂ）には、印刷画像（３−１）の一部を正面から見た拡大図の概要図を示し、図２０（ｃ）に、図２０（ｂ）で示した印刷画像（３−１）をＡ−Ａ´ラインでカットした断面図を示す。本実施例１において、それぞれの要素は、図２０（ｂ）に示すように、凸要素（１０−１）と潜像要素（８−１）が重なり、カモフラージュ要素（９−１）は凸要素（１０−１）とは重ならずに谷領域（１１−１）に形成されるように重ね合わせた。
【０１１２】
図２１に、以上の手順で作製した実施例１の潜像印刷物（１−１）の効果を示す。図２１（ａ）のように、潜像印刷物（１−１）に正対した視点（１２ａ−１）から潜像印刷物（１−１）を観察した場合には、有色要素群（４−１）が視認され、女性の顔画像は不可視であった。
【０１１３】
一方、図２１（ｂ） に示すように、潜像印刷物（１−１）を傾けて観察した場合には、図２１（ｂ）に示すように、女性の顔が適正な階調で表現された潜像要素群（６−１）が青色で視認され、いずれの方向から観察した場合でも潜像画像のネガポジ反転効果は生じないことが確認できた。
【実施例２】
【０１１４】
実施例２について、図２２から図２７を用いて説明する。実施例２は、実施例１同様に全ての要素を画線で形成した場合の例であり、凸要素群（５−２）をスクリーン印刷方式で形成し、有色要素群（４−２）をオフセット印刷方式で印刷して潜像印刷物を形成した例であって、正対した場合にも潜像とは異なる、別の有意情報が視認できる例である。
【０１１５】
図２２は、本発明の潜像印刷物（１−２）を示す図であり、基材（２−２）上に青色の印刷画像（３−２）を備えて成る。基材は、一般的なコート紙（日本製紙製）を用いた。
【０１１６】
図２３に、印刷画像（３−２）を構成する各画像要素の概念図を示す。印刷画像（３−２）は、有色要素群（４−２）と凸要素群（５−２）とが積層されて成る。有色要素群（４−２）は、潜像画像である女性の顔をポジで表した潜像要素群（６−２）及び女性の顔をネガで表したカモフラージュ要素群（７−２）と、潜像画像である女性の顔とは別の有意情報である「七宝」の画像を表した情報要素群（１４−２）とから成る。
【０１１７】
図２４に、凸要素群（５−２）を示す。凸要素群（５−２）は、ピッチ０．３０ｍｍで第一の方向に連続して配置された幅０．１ｍｍの凸要素（１０−２）を有し、かつ、凸要素（１０−２）と凸要素（１０−２）の間に幅０．２ｍｍの谷領域（１１−２）を有する。以上の構成の凸要素群（５−２）をＵＶ乾燥型のスクリーン印刷方式で表１に示したインキを用いて基材（２−２）上に印刷した。なお、凸要素（１０−２）の盛り上がり高さは、３０μｍであった。
【０１１８】
図２５に、有色要素群（４−２）の詳細な画線構成図を示す。図２５（ａ）に示す有色要素群（４−２）は、潜像画像である女性の顔を備えた潜像要素群（６−２）及びカモフラージュ要素群（７−２）と、潜像画像とは別の有意情報である「七宝」の画像を備えた情報要素群（１４−２）から成る。
【０１１９】
図２５（ｂ）に示すように、潜像要素群（６−２）は、画線幅０．０８ｍｍの潜像要素（８−２）が、第一の方向（図中上下方向）にピッチ０．３ｍｍで連続して複数配置されて成り、カモフラージュ要素群（７−２）は、画線幅０．０８ｍｍのカモフラージュ要素（９−２）が、第一の方向（図中上下方向）にピッチ０．３ｍｍで連続して複数配置されて成る。
【０１２０】
潜像要素（８−２）は一定の画線幅で構成されており、その画線の中にポジ状態の女性の顔の階調が濃淡で反映され、潜像要素（８−２）が複数配置されて潜像要素群（６−２）を構成した場合にポジ状態の女性の顔を表して成る。また、カモフラージュ要素（９−２）も潜像要素（８−２）同様に一定の画線幅で構成されており、その画線の中にネガ状態の女性の顔の階調が濃淡で反映され、カモフラージュ要素（９−２）が複数配置されてカモフラージュ要素群（７−２）を構成した場合にネガ状態の女性の顔を表して成る。
【０１２１】
潜像要素（８−２）とカモフラージュ要素（９−２）は、それぞれ重なり合わないように０．１ｍｍ第一の方向にずらして配置した。以上のような構成の有色要素群（４−２）を、青色の着色インキ（ＤＡｉＣｕｒｅ  アビリオ  プロセス  藍Ｎ）を用いて、凸要素群（５−２）の上にオフセット印刷方式で形成した。
【０１２２】
図２５（ｃ）に示すように、情報要素群（１４−２）は、画線幅０．０５ｍｍの情報要素（１５−２）が、第一の方向（図中上下方向）にピッチ０．３０ｍｍで連続して複数配置されて「七宝」画像を表して成る。潜像要素（８−２）及びカモフラージュ要素（９−２）ならびに情報要素（１５−２）は、重なり合うことがないように、第一の方向（図中上下方向）にずらして配置して成る。
【０１２３】
図２６に有色要素群（４−２）と、凸要素群（５−２）の重なり合いの詳細な位置関係を示す。図２６（ｂ）は、図２６（ａ）に示した印刷画像（３−２）の一部を正面から見た拡大図の概要図を示し、図２６（ｃ）に、図２６（ｂ）で示した印刷画像（３−２）をＡ−Ａ´ラインでカットした断面図を示す。
【０１２４】
実施例２において、それぞれの要素は、図２６（ｂ）に示すように、凸要素（１０−２）と潜像要素（８−２）が重なり、カモフラージュ要素（９−２）及び情報要素（１５−２）は凸要素（１０−２）とは重ならずに谷領域（１１−２）に形成されるように形成した。
【０１２５】
実施例２のように、正対して観察した場合に視認できる情報要素群（１４−２）を形成する場合には、情報要素（１５−２）とカモフラージュ要素（９−２）の合計の画線幅は、谷領域（１１−２）の画線幅以下とする必要がある。
【０１２６】
図２７に、以上の手順で作製した本発明の潜像印刷物（１−２）の効果を示す。図２７（ａ）のように、潜像印刷物（１−２）に正対した視点（１２ａ−２）から潜像印刷物（１−２）を観察した場合、潜像要素（８−２）とカモフラージュ要素（９−２）は互いに打ち消し合う関係のため、潜像要素群（６−２）及びカモフラージュ要素群（７−２）は視認できず、「七宝」画像が視認され、潜像画像である女性の顔画像は不可視であった。
【０１２７】
一方、図２７（ｂ） に示すように、潜像印刷物（１−２）を傾けて観察した場合には、図２７（ｂ）に示すように、女性の顔が青色の濃淡で表現された潜像要素群（６−２）が視認され、いずれの方向から観察した場合でも潜像画像のネガポジ反転効果は生じないことが確認できた。
【０１２８】
以上のように、実施例２の潜像印刷物（１−２）においては、正対して観察した場合には「七宝」画像が視認でき、傾けて観察した場合には女性の顔画像が視認でき、有意情報が異なる有意情報へ変化する、いわゆる画像のチェンジ効果を備えることが確認でき、かつ出現した潜像画像は画像のネガポジ反転が生じないことが確認できた。
【符号の説明】
【０１２９】
１、１−１、１−２  潜像印刷物
２、２´、２−１、２−２  基材
３、３´´、３−１、３−２  印刷画像
４、４´、４−１、４−２  有色要素群
５、５´、５−１、５−２  凸要素群
６、６−１、６−２  潜像要素群
７、７−１、７−２  カモフラージュ要素群
８、８´、８´´、８−１、８−２  潜像要素
９、９´、９´´、９−１、９−２  カモフラージュ要素
１０、１０´、１０´´、１０−１、１０−２  凸要素
１１、１１´、１１´´、１１−１、１１−２  谷領域
１２ａ、１２ｂ、１２ｃ、１２ａ−１、１２ｂ−１、１２ｃ−１、１２ａ−２、１２ｂ−２、１２ｃ−２    観察者の視点
１４−２  情報要素群
１５−２  情報要素
【図１】
2013188909.tif 000004
【図２】
2013188909.tif 000005
【図３】
2013188909.tif 000006
【図４】
2013188909.tif 000007
【図５】
2013188909.tif 000008
【図６】
2013188909.tif 000009
【図７】
2013188909.tif 000010
【図８】
2013188909.tif 000011
【図９】
2013188909.tif 000012
【図１０】
2013188909.tif 000013
【図１１】
2013188909.tif 000014
【図１２】
2013188909.tif 000015
【図１３】
2013188909.tif 000016
【図１４】
2013188909.tif 000017
【図１５】
2013188909.tif 000018
【図１６】
2013188909.tif 000019
【図１７】
2013188909.tif 000020
【図１８】
2013188909.tif 000021
【図１９】
2013188909.tif 000022
【図２０】
2013188909.tif 000023
【図２１】
2013188909.tif 000024
【図２２】
2013188909.tif 000025
【図２３】
2013188909.tif 000026
【図２４】
2013188909.tif 000027
【図２５】
2013188909.tif 000028
【図２６】
2013188909.tif 000029
【図２７】
2013188909.tif 000030